(57)【要約】【課題】  足先をひねらないであぶみの輪部に掛けれるようにして、膝に作用する負担を軽減するとともに、あぶみが足にフィットしやすい揺動型運動装置を提供する。【解決手段】  揺動型運動装置１０の左右位置のあぶみ１５の輪部１５ｂは、平面視で、前後方向Ａに直角な方向Ｂに対して、内側が前位置で、外側が後位置となる外開き状の傾斜角度θを持たせることで、座部１１に跨った使用者Ｍの足先Ｍ１が外開き（外股）方向Ｃとなっていても、外開き方向Ｃの足先Ｍ１の方向から輪部１５ｂに足先Ｍ１を掛けれるようになるので、足先Ｍ１を内向きにひねる必要が無くなって、膝に作用する負担が軽減するようになる。【選択図】      図５
2006230537.tif 000002
【特許請求の範囲】
【請求項１】
使用者が跨って着座可能な座部と、この座部を揺動運動させる運動機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、
前記左右位置のあぶみの輪部には、平面視で、前後方向に直角な方向に対して、内側が前位置で、外側が後位置となる外開き状の傾斜角度を持たせたことを特徴とする揺動型運動装置。
【請求項２】
前記輪部は、前記傾斜角度でひねった状態で前記吊下げ部に一体的に形成していることを特徴とする請求項１に記載の揺動型運動装置。
【発明の詳細な説明】
【技術分野】
【０００１】
本発明は、座部を揺動運動させることで、座部に着座した使用者に運動負荷を付与する揺動型運動装置に関するものである。
【背景技術】
【０００２】
前記のような揺動型運動装置は、子供から老人まで利用可能な手軽な運動器具として、当初のスポーツクラブから、一般家庭へと普及してきている。
【０００３】
このような揺動型運動装置としては、例えば図６（ａ）に示すように、運動機構１に設けた鞍状の座部２に使用者Ｍが跨って着座するとともに、この座部２の左右位置に吊下げたあぶみ３の輪部３ａに使用者Ｍが足先Ｍ１を掛けた状態おいて、運動機構１で座部２を揺動運動させるようにしたものがある（例えば、特許文献１参照）。
【０００４】
前記あぶみ３としては、前記特許文献１に記載されているようなＬ字状のものを用いることも可能であるが、図６（ａ）のように、使用者Ｍが足先Ｍ１を掛ける輪部３ａを有したものがある。前記左右位置の輪部３ａは、図６（ｂ）のように、平面視で、前後方向Ａに直角な方向Ｂに設定されている。
【特許文献１】特開２００４−２１６０７３号公報
【発明の開示】
【発明が解決しようとする課題】
【０００５】
しかしながら、座部２に使用者Ｍが跨った場合、大腿部をＶ字形状に大きく開く姿勢になるから、輪部３ａに掛ける足先Ｍ１も外開き（外股）方向Ｃとなるが、輪部３ａは、前後方向Ａに直角な方向Ｂに設定されているので、足先Ｍ１を内向きにひねった方向Ｄから輪部３ａに足先Ｍ１を掛ける必要がある。このひねりのための負担が膝に作用するので、膝を痛めることがあるとともに、あぶみ３が足にフィットしにくくなるという問題があった。
【０００６】
本発明は、前記問題を解消するためになされたもので、足先をひねらないであぶみの輪部に掛けれるようにして、膝に作用する負担を軽減するとともに、あぶみが足にフィットしやすい揺動型運動装置を提供することを目的とするものである。
【課題を解決するための手段】
【０００７】
前記課題を解決するために、本発明に係る揺動型運動装置は、使用者が跨って着座可能な座部と、この座部を揺動運動させる運動機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、前記左右位置のあぶみの輪部には、平面視で、前後方向に直角な方向に対して、内側が前位置で、外側が後位置となる外開き状の傾斜角度を持たせたことを特徴とするものである。
【０００８】
既存のあぶみとの交換が簡単に行えるようにするために、前記輪部は、前記傾斜角度でひねった状態で前記吊下げ部に一体的に形成している構成とすることが好ましい。
【発明の効果】
【０００９】
本発明によれば、あぶみの輪部に外開き状の傾斜角度を持たせたから、座部に跨った使用者の大腿部がＶ字形状に大きく開き、輪部に掛ける足先も外開き（外股）方向となっていても、外開き方向の足先の方向から輪部に足先を掛けれるようになるので、足先を内向きにひねる必要が無くなって、膝に作用する負担が軽減するようになる。また、外開き方向の足先の方向から輪部に掛けれるので、あぶみが足にフィットしやすくなる。
【発明を実施するための最良の形態】
【００１０】
以下、本発明を実施するための最良の形態について、図面を参照しながら詳細に説明する。
【００１１】
図１は揺動型運動装置１０の斜視図、図３は側面図である。この揺動型運動装置１０は、使用者が跨って着座可能な座部１１と、この座部１１を揺動運動させる運動機構１２と、前記座部１１の高さを調節する昇降機構１３と、前記座部１１の左右位置の上ヒンジピン１４に吊下げ部１５ａの上端が前後回動可能に吊下げられ、この吊下げ部１５ａの下端に使用者が足先を掛ける輪部１５ｂを有するあぶみ１５とを備えている。前記座部１１側と運動機構１２側との間の隙間は、伸縮自在な目隠し用カバー２０で覆うことが好ましい。なお、１６は、座部１１の前部に前後揺動可能に設けたハンドルである。
【００１２】
前記運動機構１２は、具体的に図示しないが、内蔵された電動モータ、クランクアーム等によって、座部１１を前後方向、左右方向、上下方向に３次元的に揺動運動させるものである。
【００１３】
前記昇降機構１３は、具体的に図示しないが、内蔵された電動モータ、ラック・ピニオン（若しくはねじ軸）等によって、座部１１を上昇位置Ｕと下降位置Ｄとに昇降させて、座部１１の高さを調節するものである。
【００１４】
図２は着座した使用者から見て左側位置のあぶみ１５の分解斜視図である。前記座部１１の左位置に逆Ｌ字状の取付け金具１７が固定され、この取付け金具１７に前記上ヒンジピン１４が左方に突出して固定されている。
【００１５】
前記あぶみ１５は合成樹脂成型品であり、このあぶみ１５の吊下げ部１５ａは、上吊下げ部１５ｃと下吊下げ部１５ｄとに２分割されて、上吊下げ部１５ｃの上端穴１５ｅを前記上ヒンジピン１４に側方から着脱可能に嵌め込むことにより、上ヒンジピン１４に上吊下げ部１５ｃの上端が前後回動可能に吊下げられることになる。この上吊下げ部１５ｃの下端には、下ヒンジピン１５ｆが固定されている。
【００１６】
前記下吊下げ部１５ｄの下端には、前記輪部１５ｂが一体的に設けられるとともに、この下吊下げ部１５ｄには、前記座部１１に対するあぶみ１５の高さ調節用穴１５ｇが上下方向に多段（本例では４段）で形成されている。この調節用穴１５ｇの１つを前記上吊下げ部１５ｃの下ヒンジピン１５ｆに側方から着脱可能に嵌め込むことにより、下ヒンジピン１５ｆに下吊下げ部１５ｄが前後回動可能に吊下げられることになる。
【００１７】
図４（ａ）はあぶみ１５の平面図、図４（ｂ）は正面図である。前記あぶみ１５の輪部１５ｂは、正面視で略逆Ｕ字形状に形成されて、この略逆Ｕ字形状の下端同士の連結部分がフラットな足掛け部１５ｐとなっていて、この足掛け部１５ｐの上面には、滑り止め用突条１５ｑが形成されている。
【００１８】
図５（ａ）に示すように、座部１１に跨った使用者Ｍの大腿部は、Ｖ字形状に大きく開き、輪部１５ｂに掛ける足先Ｍ１も外開き（外股）方向Ｃとなる。そこで、図５（ｂ）のように、前記下吊下げ部１５ｄは、平面視で、従来と同様に、前後方向Ａに平行であるが、前記輪部１５ｂは、前後方向Ａに直角な方向Ｂそのものでは無く、前後方向Ａに直角な方向Ｂに対して、内側が前位置で、外側が後位置となる外開き状の傾斜角度θを持たせた傾斜方向Ｅとしている。つまり、輪部１５ｂを傾斜角度θでひねった状態で下吊下げ部１５ｄに一体的に形成している。
【００１９】
前記のように揺動型運動装置１０を構成すれば、あぶみ１５の輪部１５ｂに外開き状の傾斜角度θを持たせたから、座部１１に跨った使用者Ｍの大腿部がＶ字形状に大きく開き、輪部１５ｂに掛ける足先Ｍ１も外開き（外股）方向Ｃとなっていても、外開き方向Ｃの足先Ｍ１の方向から輪部１５ｂに足先Ｍ１を掛けれるようになるので、足先Ｍ１を内向きにひねる必要が無くなって、膝に作用する負担が軽減するようになる。また、外開き方向Ｃの足先の方向から輪部１５ｂに掛けれるので、あぶみ１５が足にフィットしやすくなる。
【００２０】
さらに、輪部１５ｂを傾斜角度θでひねった状態で下吊下げ部１５ｄに一体的に形成しているので、傾斜角度θが安定に維持できるとともに、既存のあぶみとの交換が簡単に行える。
【００２１】
また、前記あぶみ１５の輪部１５ｂの足掛け部１５ｐの上面１５ｕは、前側が高く後側が低い傾斜面に形成しているから、この上面１５ｕの傾斜面に足先がよりフィットするようになる。
【００２２】
前記実施形態では、前記取付け金具１７の上ヒンジピン１４は、前後方向Ａに直角な方向Ｂに突出していることを前提としたが、上ヒンジピン１４を前記傾斜角度θを持たせた傾斜方向Ｅに突出させれば、従来のあぶみ３〔図６（ａ）参照〕であっても、輪部３ａに外開き状の傾斜角度θを持たせることができる。
【００２３】
また、上吊下げ部１５ｃの上端と取付け金具１７とをボールジョイントで連結して、このボールジョイントで、あぶみ１５を前後回動可能、かつ垂直軸回りに回動（旋回）可能に吊下げれば、外開き状の傾斜角度θを座部１１に跨った使用者Ｍの足先Ｍ１に合わせることができるので、より有利になる。
【図面の簡単な説明】
【００２４】
【図１】本発明の実施形態の揺動型運動装置の斜視図である。
【図２】図１のあぶみの分解斜視図である。
【図３】図１の揺動型運動装置の側面図である。
【図４】あぶみであり、（ａ）は平面図、（ｂ）は正面図である。
【図５】（ａ）は本発明の実施形態の揺動型運動装置の使用状態を示す斜視図、（ｂ）は座部とあぶみとの関係を示す揺動型運動装置の底面図である。
【図６】従来の揺動型運動装置であり、（ａ）は正面図、（ｂ）は座部とあぶみとの関係を示す底面図である。
【符号の説明】
【００２５】
１０    揺動型運動装置
１１    座部
１２    運動機構
１４    上ヒンジピン（上ヒンジ部材）
１５    あぶみ
１５ａ  吊下げ部
１５ｂ  輪部
１５ｄ  下吊下げ部
１５ｐ  足掛け部
１５ｕ  上面
Ａ      前後方向
Ｂ      直角な方向
Ｃ      外開き（外股）方向
Ｍ      使用者
Ｍ１    足先
θ      傾斜角度
【図１】
2006230537.tif 000003
【図２】
2006230537.tif 000004
【図３】
2006230537.tif 000005
【図４】
2006230537.tif 000006
【図５】
2006230537.tif 000007
【図６】
2006230537.tif 000008